(57)【要約】【課題】      異なった通信インターフェイス間のマルチメディア送信を可能とする、異なった通信インターフェイス間のマルチメディアメッセージ交信システムとその方法を提供する【解決手段】  異なった通信インターフェイス間のマルチメディアメッセージ交信システムおよび方法に関し、前記方法およびシステムでは、マスターサーバエンドが、数字ボタンと送信エンドの通信インターフェイスを通して、マルチメディアメッセージを受信し、異なった通信インターフェイスの受信エンドが受信をした後に、マルチメディアメッセージのフォーマットが、変換されて、メッセージを利用可能にする。したがって、マルチメディアメッセージは、異なった通信インターフェイス間の交信が可能である。【選択図】    図１
2005038285.tif 000002
【特許請求の範囲】
【請求項１】
メッセージ送信用の通信インターフェイスを具備し、数字ボタンを押して、マルチメディアファイルを入力した後、送信ターゲットと受信モードをマルチメディアメッセージに送信し、通信インターフェイスがあるフォーマットでマルチメディアメッセージを送信する、送信エンドと、
複数のサーバと、分析ユニットと、変換ユニットとを具備し、マルチメディアメッセージ通信と、メッセージフォーマット分析と、フォーマット変換との役割を果たし、マスターサーバエンドがマルチメディアメッセージを受信した後、分析ユニットがフォーマットを分析し、変換ユニットが受信モードに沿ったフォーマットに改修し、同時に、メッセージフォーマットに対応したサーバによって、マルチメディアメッセージを通信ターゲットに送信する、マスターサーバエンドと、を有することを特徴とする、
異なった通信インターフェイス間のマルチメディアメッセージ交信システム。
【請求項２】
請求項１に記載の異なった通信インターフェイス間のマルチメディアメッセージ交信システムにおいて、前記マルチメディアファイルは、声、ビデオ、文字、画像のグループのうちから選択されることを特徴とする、異なった通信インターフェイス間のマルチメディアメッセージ交信システム。
【請求項３】
請求項１に記載の異なった通信インターフェイス間のマルチメディアメッセージ交信システムにおいて、前記マルチメディアファイルと、送信ターゲットと、受信モードとは、異なった数字ボタンを押すことによってマルチメディアメッセージに入力されることを特徴とする、異なった通信インターフェイス間のマルチメディアメッセージ交信システム。
【請求項４】
請求項１に記載の異なった通信インターフェイス間のマルチメディアメッセージ交信システムにおいて、マルチメディアメッセージを受信する受信エンドを有することを特徴とする、異なった通信インターフェイス間のマルチメディアメッセージ交信システム。
【請求項５】
請求項４に記載の異なった通信インターフェイス間のマルチメディアメッセージ更新システムにおいて、メッセージ送信センターを有し、受信エンドが移動電話であり、サーバが変換ゲートウェイであり、前記サーバによって送信された後、メッセージ送信センターで受信され、マルチメディアメッセージが受信エンドに送信されることを特徴とする、異なった通信インターフェイス間のマルチメディアメッセージ交信システム。
【請求項６】
請求項４に記載の異なった通信インターフェイス間のマルチメディアメッセージ交信システムにおいて、前記受信エンドが、メールリーダーと、マルチメディアメッセージの通信用メールサーバであるサーバと、受信エンドがメッセージを受信した後にマルチメディアメッセージを開けるメールリーダーと、より構成することを特徴とする、異なった通信インターフェイス間のマルチメディアメッセージ交信システム。
【請求項７】
請求項４に記載の異なった通信インターフェイス間のマルチメディアメッセージ交信システムにおいて、前記受信エンドが、送信エンドの通信インターフェイスと同一の通信インターフェイスを有し、サーバがマルチメディアメッセージを送信する通信インターフェイスサーバであり、受信エンドがマルチメディアメッセージを受信した後に、通信インターフェイスがマルチメディアメッセージを開くことを特徴とする、異なった通信インターフェイス間のマルチメディアメッセージ交信システム。
【請求項８】
送信エンドによって、マルチメディアファイルと、送信ターゲットと、受信モードから成るマルチメディアメッセージをそのフォーマットで送信し、
複数のサーバから成るマスターサーバで、マルチメディアメッセージを受信し、
マスターサーバでマルチメディアメッセージのフォーマットを分析し、
マスターエンドで、受信モードに沿ったマルチメディアメッセージのフォーマットを変更し、
マスターサーバによって、マルチメディアメッセージのフォーマットに対応するサーバを通じて、マルチメディアメッセージを送信ターゲットに送信することを特徴とする、
異なった通信インターフェイス間のマルチメディアメッセージ交信方法。
【請求項９】
請求項８に記載の異なった通信インターフェイス間のマルチメディアメッセージ交信方法において、前記マルチメディアファイルが、声、ビデオ、文字、画像から成るグループより選択されることを特徴とする、異なった通信インターフェイス間のマルチメディアメッセージ交信方法。
【請求項１０】
請求項８に記載の異なった通信インターフェイス間のマルチメディアメッセージ交信方法において、前記マルチメディアファイルと、送信ターゲットと、受信モードとを、マルチメディアメッセージを、そのフォーマットで送信する前に、マルチメディアメッセージに入力するステップを有したことを特徴とする、異なった通信インターフェイス間のマルチメディアメッセージ交信方法。
【請求項１１】
請求項１０に記載の異なった通信インターフェイス間のマルチメディアメッセージ交信方法において、前記マルチメディアファイルと、送信ターゲットと、受信モードとは、異なった数字ボタンを押すことによって、マルチメディアメッセージに入力されることを特徴とする、異なった通信インターフェイス間のマルチメディアメッセージ交信方法。
【請求項１２】
請求項８に記載の異なった通信インターフェイス間のマルチメディアメッセージ交信方法において、マスターサーバによって、マルチメディアメッセージのフォーマットに対応するサーバを通じて、マルチメディアメッセージを送信サーバに送信するステップの後、受信エンドによってマルチメディアメッセージを受信することを特徴とする、異なった通信インターフェイス間のマルチメディアメッセージ交信方法。
【請求項１３】
請求項１２に記載の異なった通信インターフェイス間のマルチメディアメッセージ交信方法において、受信エンドでマルチメディアメッセージを受信するステップの後、受信エンドのメールリーダーで、マルチメディアメッセージを開くことを特徴とする、異なった通信インターフェイス間のマルチメディアメッセージ交信方法。
【請求項１４】
請求項１２に記載の異なった通信インターフェイス間のマルチメディアメッセージ交信方法において、受信エンドでマルチメディアメッセージを受信するステップの後、受信エンドの通信インターフェイスでマルチメディアメッセージを開くことを特徴とする、異なった通信インターフェイス間のマルチメディアメッセージ交信方法。
【請求項１５】
請求項８に記載の異なった通信インターフェイス間のマルチメディアメッセージ交信方法において、マスターサーバで、マルチメディアメッセージのフォーマットに対応したサーバを通じて、マルチメディアメッセージを送信ターゲットに送信し、メッセージ送信センターでマルチメディアメッセージを受信し、メッセージ送信センターでマルチメディアメッセージを送信し、受信エンドでマルチメディアメッセージを受信することを特徴とする、異なった通信インターフェイス間のマルチメディアメッセージ交信方法。
【発明の詳細な説明】
【技術分野】
【０００１】
本発明は、メッセージ交信システムとその方法に関するものであり、特に異なった数字ボタンを有した通信インターフェイス間の交信に関するものである。
【背景技術】
【０００２】
メッセージ送信の要求事項が増えるにつれて、様々な送信方法が開発され、大まかに云えば、ケーブル送信または無線送信の２つの種類の送信方法に分けることが可能である。
【０００３】
ケーブル送信は、電子メールまたはインスタント・メッセージ・インターチェンジ・ソフト（例えばＩＣＱやＭＳＮメッセンジャー・サービス）を含むものであり、その中で、電子メールは、その設定や操作が複雑である一方、優れたマルチメディアパフォーマンスを発揮するものである。一般的に、インスタント・メッセージ・インターチェンジ・ソフトは、操作が簡単であるが、レベルによって複雑さとマルチメディアパフォーマンスに対する様々な設定がある。
【０００４】
無線送信は、ＳＭＳや、ＥＭＳや、ＭＭＳや、ＷＡＰ等があり、以下に説明される。
【０００５】
１．  ショート・メッセージ・サービス（ＳＭＳ）
ユーザがショートメッセージを入力すると、ＳＭＳがそのメッセージを他者に届けるが、大量の文字を通信しないように、文字数を考慮に入れる必要がある。
文字入力をするには、通常、主に一つ一つボタンを押す必要があるため、文字入力は便利なものであるとはいえない。ＳＭＳの他の欠点は、マルチメディアパフォーマンスが無いという点である。
【０００６】
２．  エンハンスド・メッセージ・サービス（ＥＭＳ）
ＥＭＳは、画像や文字の送信を除いて、ＳＭＳと似ている。ＥＭＳは、文字の制限や、不便な操作方法や、マルチメディアパフォーマンスが無いといった点に関して、ＳＭＳと同じ欠点を持っている。
【０００７】
３．  マルチメディア・メッセージ・サービス（ＭＭＳ）
ＭＭＳは、画像、音楽、文字の送信（つまりマルチメディアパフォーマンス）に便利であるが、やはり文字の制限があり、操作の不便性や、ネットワークに接続した後にのみ利用可能といった不便さが存在する。
【０００８】
４．  無線アプリケーション・プロトコル（ＷＡＰ）
ＷＡＰは、マルチメディアパフォーマンスは良いが、容量に制限があり、ネットワークに接続した後にのみ利用可能である。
【発明の開示】
【発明が解決しようとする課題】
【０００９】
現市場において、幾つかのメッセージ送信方法が存在するが、どれもメッセージを交信することが出来ないし、殆どの方法は、マルチメディアパフォーマンス機能が無い。しかも、それらには複雑な操作が必要であり、ソフトまたはシステムの自動処理が出来ない。したがって、数字ボタンによって、異なった送信タイプ間のマルチメディアメッセージ交信が可能なシステムと方法を開発することは非常に重要なことである。
【００１０】
本発明の目的は、異なった通信インターフェイス間のマルチメディア送信を可能とするシステムと方法を提供することにある。
【課題を解決するための手段】
【００１１】
本発明の異なった通信インターフェイス間のマルチメディア送信を可能とするシステムは、送信エンドとマスターサーバエンドとを含むものである。通信インターフェイスは、マルチメディアメッセージを送信する目的で送信エンドに取り付けられ、入力されたマルチメディアファイルと、送信ターゲットと、受信モードとを、あるフォーマットでマスターサーバエンドに送信する。マスターサーバエンドは、複数のサーバと、分析ユニットと、変換ユニットとを含み、マルチメディアメッセージ送信と、メッセージフォーマット分析と、メッセージフォーマット変換との役割を果たすものである。マスターサーバエンドがマルチメディアメッセージを受信した後、分析ユニットがフォーマットの分析を開始し、変換ユニットが受信モードに合わせてフォーマットの変換を行い、そしてマルチメディアメッセージが、フォーマットに対応しながら、サーバを通じて、送信ターゲットへ送信される。したがって、マルチメディアメッセージは、異なった通信インターフェイス間を交信可能となる。
【００１２】
更に、本発明の適用範囲は、以下に記載された詳細な説明からより明らかになる。しかしながら、詳細な説明と特定の例は、本発明の実施例を開示している一方、以下の詳細な説明を参考にすれば、様々な変更や改修が本発明の精神と適応範囲内で当業者にとって自明なものとなるため、説明の目的でのみ記載されていると理解されるべきである。
【発明を実施するための最良の形態】
【００１３】
本発明は、異なった通信インターフェイス間のマルチメディアメッセージ交信に利用するシステムと方法である。
【００１４】
図１を参照にしながら説明すると、異なった通信インターフェイス間でマルチメディアメッセージを交換するシステムは、送信エンド１０と、マスターサーバエンド２０と、受信エンド３０とを含むものである。通信エンド１０は、マルチメディアメッセージを受信エンド３０に送信するが、マスターサーバエンド２０は、受信エンド３０の前にマルチメディアメッセージを受信して、フォーマットを変換することによって、受信エンド３０がメッセージを受信することができるようになる。
【００１５】
マルチメディア交信用の通信インターフェイス１１は、送信エンド１０に設置される。ユーザが、マルチメディアファイル（あらゆる音、ビデオ、文字、画像を含む）と、送信ターゲットと、受信モードを入力した後、通信インターフェイス１１が、マルチメディアメッセージをあるフォーマットでマスターサーバエンド２０へ送信する。
【００１６】
マスターサーバエンド２０は、複数のサーバ（通信インターフェイスサーバ２１と、メールサーバ２２と、翻訳ゲートウェイ２３とを含む）と、分析ユニット２４と、変換ユニット２５とより構成される。前記サーバは、マルチメディアメッセージを送信し、分析ユニット２４は、そのフォーマットを分析し、変換ユニット２５が、変換を行う。そして、マスターサーバエンド２０がマルチメディアメッセージを受信した後、分析ユニット２４がフォーマットを分析し、変換ユニット２５が受信モードに合わせたフォーマット変換を行う。したがって、マルチメディアメッセージは、対応するフォーマットでサーバから送信ターゲットへと送信される。
【００１７】
受信エンド３０は、マルチメディアメッセージを受信する。受信エンド３０は、通信インターフェイス３１（送信エンド１０の通信インターフェイス１１と似ている）、メールリーダー３２、または移動電話に取り付けられる。受信エンド３０が、通信インターフェイス３１の機能を果たす場合、応答サーバが、通信インターフェイスサーバ２１となる。したがって、マルチメディアメッセージは、通信インターフェイスサーバ２１によって送信され、受信エンド３０が受信した後に通信インターフェイス３１で開かれる。受信エンド３０が、メールリーダー３２である場合、応答サーバが、メールサーバ２２となる。よって、マルチメディアメッセージは、メールサーバ２２で送信され、受信エンド３０が受信した後にメールリーダー１２で開かれる。受信エンド３０が、移動電話であった場合、マルチメディアメッセージが、メッセージ送信センター４０から受信し、そして翻訳ゲートウェイ２３である応答サーバで受信エンド３０に送信される。したがって、翻訳ゲートウェイ２３がマルチメディアメッセージをメッセージ送信センター４０に送信した後、メッセージは、メッセージ送信センター４０から受信エンド３０へと送信され、受信エンド３０で受信される。
【００１８】
よって、マルチメディアファイルと、送信ターゲットと、受信モードが送信エンド１０でマルチメディアメッセージに入力された後、メッセージは、あるフォーマットで、通信インターフェイス１１からマスターサーバエンド２０へと送信される。そして、マスターサーバエンド２０は、マルチメディアメッセージを受信し、分析ユニット２４がフォーマットを分析し、変換ユニット２５が受信モードに沿った変換を行い、そしてメッセージが、メッセージのフォーマットに対応するサーバから送信ターゲットへと送信される。勿論、受信モードは、通信インターフェイス３１、メールリーダー３２、移動電話の受信における一つの選択肢である。通信インターフェイス３１で受信された場合、マルチメディアメッセージは、変換ユニット２５によって、他のフォーマットに変換されることがなく、通信インターフェイスサーバ２１によって送信される。メールリーダー３２で受信された場合、マルチメディアメッセージは、メールリーダー３２に適したフォーマットに変換され、メールサーバ２２によって送信される。移動電話で受信された場合は、マルチメディアメッセージは、変換ユニット２５によって移動電話に適したフォーマットに変換され、送信ゲートウェイ２３でもって送信される。
【００１９】
受信エンド３０が通信インターフェイス３１でメッセージを受信した場合、マルチメディアメッセージを開くことが可能である。受信エンド３０がメールサーバ３２でメッセージを受信した場合、同じようにマルチメディアメッセージを開く。受信エンド３０が移動電話でメッセージを受信した場合、マルチメディアメッセージは、まずマルチメディアメッセージ送信センター４０を通過するまでは、受信エンド３０に送られることが無い。
【００２０】
上述のことから、本発明が異なった通信インターフェイス間のメッセージ交換を可能とすることが明らかとなった。
【００２１】
図２Ａと図２Ｂを参照すると、本発明の異なった通信インターフェイス間のマルチメディアメッセージ送信方法は、以下のステップを含むものである。
マルチメディアファイルと、送信ターゲットと、受信モードとがマルチメディアメッセージに入力されると（ステップ１０１）、マルチメディアファイルは、声、ビデオ、文書、または画像の何れかに選択され、マルチメディアファイルと、送信ターゲットと、受信モードとの入力が、同じまたは異なった数字ボタンを押すことによって実行される。
【００２２】
送信エンドは、あるフォーマットでマルチメディアメッセージを送信し（ステップ１０２）、そこにはマルチメディアファイルと、送信ターゲットと、受信モードを含んでいる。
【００２３】
複数のサーバから成るマスターサーバエンドは、マルチメディアメッセージを受信する（ステップ１０３）。
【００２４】
マスターサーバエンドは、マルチメディアメッセージのフォーマットを分析する（ステップ１０４）。
【００２５】
マスターサーバは、マルチメディアメッセージの受信モードに沿ったマルチメディアメッセージのフォーマットを変更する（ステップ１０５）。
【００２６】
マルチメディアメッセージは、フォーマットに対応したサーバを通じて、マスターサーバエンドによって送信ターゲットに送信される（ステップ１０６）。
【００２７】
その後、２つのタイプの手順が当てはまる。即ち、マルチメディアメッセージが、通信インターフェイスまたはメールリーダーでもって、受信エンドで受信される場合、受信エンドがメッセージを受信し（ステップ１０７１）、開く（ステップ１０８１）。ステップ１０８１は、２つのパートに別れ、その一つは、マルチメディアメッセージが受信された時に通信インターフェイスで開かれることで、もう一つはメッセージが受信された時にメールリーダーで開かれることである。メッセージが移動電話で、その受信エンドで受信された場合、メッセージ送信センターが利用されて、メッセージの受信を継続し（ステップ１０７２）、そしてメッセージはメッセージ送信センターによってマルチメディアメッセージに送信され（ステップ１０８２）、マルチメディアメッセージが受信エンドで受信される（ステップ１０９２）。
【００２８】
上述の説明は、本発明が異なった通信インターフェイス間のマルチメディアメッセージの変換を可能とすることを示している。
【００２９】
本発明は、上述のような発明であるため、様々な変更が可能であることは自明である。そのような変更は、本発明の適用範囲を逸脱することなく成し得、そのような改修は、当業者にとって自明なものであり、特許請求の範囲に記載の各請求項の範囲内に含まれるように意図されている。
【図面の簡単な説明】
【００３０】
【図１】本発明に係るシステムを説明するフローチャート図
【図２Ａ】本発明に係るシステムを説明するフローチャート図
【図２Ｂ】本発明に係るシステムを説明するフローチャート図
【図１】
2005038285.tif 000003
【図２Ａ】
2005038285.tif 000004
【図２Ｂ】
2005038285.tif 000005